(57)【要約】      （修正有）【課題】ビデオカメラ等のグリップベルト１６において、ハンドストラップとしても使用でき、かつ本来のグリップベルトとしての使用できるハンドストラップを提供する。【解決手段】基端が機器に固定されるストラップベルト１９と、このストラップベルト１９の所定位置に固定される甲当てパッド２０とを有し、ここでストラップベルト１９は、少なくとも甲当てパッド２０より先の部分が２本のベルト１９ａと１９ｂを重ねて先端を接続した構造となされ、その先端部には第１の面ファスナ６１を備え、一方甲当てパッド２０は、第１の面ファスナ６１と接合される第２の面ファスナ６５を備えて構成されるものとする。このように構成されるグリップベルト１６は、ストラップベルト１９における甲当てパッド２０より先の２本のベルトの１９ａと１９ｂの間に手を通すことにより、このグリップベルト１６をハンドストラップとして使用することができる。【選択図】  図８
2006184815.tif 000002
【特許請求の範囲】
【請求項１】
機器の側部に備えられるグリップベルトであって、
基端が機器に固定されるストラップベルトと、このストラップベルトの所定位置に固定される甲当てパッドとを有し、
上記ストラップベルトは、少なくとも上記甲当てパッドより先の部分が２本のベルトを重ねて先端を接続した構造となされ、その先端部には第１の面ファスナを備え、
上記甲当てパッドは、上記第１の面ファスナと接合される第２の面ファスナを備えて構成され、
機器に設けられたベルト通し部に上記ストラップベルトを通して折り返し、上記ストラップベルトの第１の面ファスナを上記甲当てパッドの第２の面ファスナに接合するようにして機器に組み付けられることを特徴とするグリップベルト。
【請求項２】
請求項１に記載のグリップベルトにおいて、
上記甲当てパッドは、上記第２の面ファスナと接合される第３の面ファスナを有し、上記第２の面ファスナに上記ストラップベルトの第１の面ファスナを接合した上で、上記第３の面ファスナを上記第２の面ファスナに接合させることにより、上記ストラップベルトを上記甲当てパッドで包み込むように保持する構造としたことを特徴とするグリップベルト。
【請求項３】
請求項１に記載のグリップベルトにおいて、
上記ベルト通し部をほぼ半回転捻る状態で上記ストラップベルトを上記ベルト通し部に通すようにしたことを特徴とするグリップベルト。
【発明の詳細な説明】
【技術分野】
【０００１】
本発明は、例えばビデオカメラ等の機器を安定した状態で持つためのグリップベルトに関する。
【背景技術】
【０００２】
例えばビデオカメラにおいては、カメラ本体の側面にグリップベルトが備えられており、撮影時にはこのグリップベルトとカメラ本体との間に手を通した状態でビデオカメラを持つことにより、安定した撮影が行なえるようにしている。
【０００３】
そして最近このグリップベルトでは、これをハンドストラップとしても利用できるようにしたものが提案されている。このようなハンドストラップ兼用型のグリップベルトとしては、従来、下記の特許文献１に開示されるようなものがある。
【０００４】
即ちこの特許文献１のグリップベルトは、図１２に示す如く、基端が機器８０の背面側に固定されるストラップベルト８１と、このストラップベルト８１に装着される甲当てパッド８２とを有し、ここでストラップベルト８１は、２本のベルト８１ａと８１ｂを重ねてその先端を接続した構造となっており、また甲当てパッド８２は、２本のベルト８１ａと８１ｂを夫々通す袋状に形成され、ストラップベルト８１に対し移動自在に装着されている。
【０００５】
そしてこのグリップベルト８１をハンドストラップとして用いる場合は、図１２の状態から甲当てパッド８２をストラップベルト８１の先端部に向って移動させた状態で、２本のベルト８１ａと８１ｂの間に手を通して使用し、本来のグリップベルトとして使用する場合は、図１２の状態からストラップベルト８１を機器８０の前端に設けられたベルト通し部８３に通して折り返し、ストラップベルト８１の先端部に設けられた面ファスナ８４を甲当てパッド８２に設けられた面ファスナ８５に接合するようにして、図１３(Ａ)に示す如く機器８０に組み付けるようにする。
【特許文献１】特開２００３−２２８１２３号公報
【発明の開示】
【発明が解決しようとする課題】
【０００６】
しかしながら、従来のこのグリップベルトでは、甲当てパッドがストラップベルトに対し移動自在に構成されているため、使用中に図１３(Ｂ)に示す如く甲当てパッドがずれてしまい、この場合ベルト通し部８３付近の折り重なっている部分が少なくなるため、実質的なベルト長さが長くなり、手の甲を良好に保持できなくなって不安定な使用状態となるおそれがあった。
【０００７】
本発明はこのような問題点に鑑みてなされたもので、ハンドストラップとしても使用でき、かつ本来のグリップベルトとしての使用時には確実に安定した状態で使用することのできるハンドストラップを提供することを目的とする。
【課題を解決するための手段】
【０００８】
上記の目的を達成するために本発明は、
機器の側部に備えられるグリップベルトにおいて、
基端が機器に固定されるストラップベルトと、このストラップベルトの所定位置に固定される甲当てパッドとを有し、
ストラップベルトは、少なくとも甲当てパッドより先の部分が２本のベルトを重ねて先端を接続した構造となされ、その先端部には第１の面ファスナを備え、
甲当てパッドは、上記第１の面ファスナと接合される第２の面ファスナを備えて構成され、
機器に設けられたベルト通し部にストラップベルトを通して折り返し、ストラップベルトの第１の面ファスナを甲当てパッドの第２の面ファスナに接合するようにして機器に組み付けられることを特徴とするものである。
【０００９】
また本発明は、上記構成のグリップベルトにおいて、
甲当てパッドは、第２の面ファスナと接合される第３の面ファスナを有し、第２の面ファスナにストラップベルトの第１の面ファスナを接合した上で、第３の面ファスナを第２の面ファスナに接合させることにより、ストラップベルトを甲当てパッドで包み込むように保持する構造としたものである。
【００１０】
さらに本発明は、上記構成のグリップベルトにおいて、
ベルト通し部をほぼ半回転捻る状態でストラップベルトをベルト通し部に通すようにしたものである。
【発明の効果】
【００１１】
上記の如く構成される本発明のグリップベルトは、ストラップベルトにおける甲当てパッドより先の２本のベルトの間に手を通すことにより、このグリップベルトをハンドストラップとして使用することができる。そして、このグリップベルトを本来のグリップベルトとして使用する場合には、機器に設けられたベルト通し部にストラップベルトを通して折り返し、ストラップベルトの第１の面ファスナを甲当てパッドの第２の面ファスナに接合することにより、簡単にグリップベルトとして使用することができる状態となる。
【００１２】
そして特にこのグリップベルトは、甲当てパッドがストラップベルトに固定されている構成のため、グリップベルトとしての使用時には甲当てパッドが常に定位置で手の甲を保持し、実質的なベルト長さが変化することもないので、常に安定した状態で使用することができる。
【００１３】
また本発明のグリップベルトは、ストラップベルトの第１の面ファスナを甲当てパッドの第２の面ファスナに接合し、その上でさらに甲当てパッドの第３の面ファスナを第２の面ファスナに接合させて、ストラップベルトを甲当てパッドで包み込むように保持する構成としたことにより、ストラップベルトの第１の面ファスナと甲当てパッドの第２の面ファスナの接合状態が確実に維持されるので、より安定した状態で使用することができる。
【００１４】
さらに本発明のグリップベルトは、ベルト通し部をほぼ半回転捻る状態でストラップベルトをベルト通し部に通すことにより、手に違和感を与えることがなく、常に良好な使用感をもって使用することができる。
【発明を実施するための最良の形態】
【００１５】
以下、図面を参照しながら本発明の実施例について詳細に説明する。本例では、電子機器である撮像装置として、ＶＴＲ一体型ビデオカメラを例示して説明を行なう。
先ず、図１〜図７を参照して、本例の撮像装置の概要について述べる。図１は本例の撮像装置を手で持った状態を示す斜視図、図２は撮像装置を前面側から見た斜視図、図３は撮像装置を背面側から見た斜視図、図４は撮像装置のパネルモニタを開いた状態を示す斜視図、図５はパネルモニタの使用状態を示す斜視図、図６は撮像装置のカセット収納部を開いた状態を示す斜視図、図７は撮像装置にメモリーカードを挿入する状態を示す斜視図である。
【００１６】
本例の撮像装置は、撮影した動画をテープカセットに記録して再生する機能を有し、さらに静止画をメモリーカードに記録して再生する機能を備えたビデオカメラ機器である。
この撮像装置１は、カメラ本体２の前面２ａの上部に突出して撮像部３を有し、図１に示す如くカメラ本体２を片手(右手)で縦型に持った状態で、撮像部３の前面の撮像レンズ４を前方の被写体に向けて撮影を行なうものである。撮像レンズ４から撮像部３に入射された画像は、カメラ本体２に内蔵される撮像素子で画像信号に変換されて、テープカセットまたはメモリーカードに記録される。
【００１７】
この撮像部３においては、図２に示す如く通常時には撮像レンズ４がレンズシャッター５で覆われており、撮影モードに入るとレンズシャッター５が開かれて撮像レンズ４が露出されるようになっている。さらに撮像部３の前面には、撮像レンズ４の上方に位置してフラッシュ発光部６が設けられており、静止画撮影モードにおける夜間撮影時にはこのフラッシュ発光部６から前方の被写体に向けてフラッシュ光が発光される。
【００１８】
上記撮像部３の反対側においてカメラ本体２の背面２ｄの上部には、図３に示すようにビューファインダ部７が設けられている。このビューファインダ部７は、背面側の窓部８から、カメラ本体２に内蔵される小型の液晶表示画面を覗いて撮影画像または再生画像を見るものであり、窓部８の周囲には遮光用のアイカップ９が設けられている。また図６に示す如く、アイカップ９の下方にはフォーカス調整つまみ１０が設けられており、このフォーカス調整つまみ１０をスライド操作することで、窓部８から内蔵の表示画面を見るときのフォーカスを調整できるようになっている。
【００１９】
さらに本例の撮像装置１では、図５に示すように、カメラ本体２の外部で画像を見る手段として、大型の液晶表示画面１３を有するパネルモニタ１２が設けられている。このパネルモニタ１２は、Ｘ軸とＹ軸の直交する２軸を回動支点として回動するように、連結部材１４を介してカメラ本体２の左側面２ｂに開閉自在に取り付けられており、不使用時には図３に示す如く表示画面１３を内側にした状態でカメラ本体２の左側面２ｂに沿って縦型に折り畳まれるように閉じられている。そして、このパネルモニタ１２を使用するときには、図４に示すようにＸ軸を回動支点としてパネルモニタ１２を水平位置まで引き上げるように９０°回動させて開き、それからさらにＹ軸を回動支点としてパネルモニタ１２を約９０°回動させて、図５に示す如く表示画面１３を使用者側に向けるようにして使用する。
【００２０】
なお、この撮像装置１においてパネルモニタ１２は、その取り付け部に組み込まれたトグル機構によって常に折り畳み状態に保持されるように付勢されていると共に、このパネルモニタ１２を水平に開いた状態ではその角度で安定して保持されるようになっている。
【００２１】
上記パネルモニタ１２が設けられるカメラ本体２の左側面２ｂと反対側の右側面２ｃの下部には、カメラ本体２を安定した状態で持つためのグリップベルト１６が設けられている。このブリップベルト１６は、カメラ本体２の背面２ｄの固定部１７と前面２ａ側のベルト通し部１８との間に装着されるストラップベルト１９と、このストラップベルト１９に装着される甲当てパッド２０とで構成され、図１に示す如く、このグリップベルト１６とカメラ本体２との間に右手を通した状態でカメラ本体２を持つことにより、グリップベルト１６で手の甲側を保持し、カメラ本体２を安定した状態で持つことができるものである。
【００２２】
そして本例の撮像装置１では、上記の如くカメラ本体２を右手で持った状態で、その手の指先で操作できる位置に操作部が設けられている。図３に示す如く、カメラ本体２の背面２ｄに設けられる操作部２２には、電源オン／オフ及び動作モード切り換え用のスライドスイッチ２３、開閉蓋のロック解除用のスライドスイッチ２４、録画ボタン２５、画面表示切り換えボタン２６、逆光補正ボタン２７、フラッシュ発光モード切り換えボタン２８、簡易撮影モード設定ボタン２９を有し、これらのスイッチ２３，２４及びボタン２５，２６，２７，２８，２９は、図１のようにカメラ本体２を手で持った状態で親指の指先で操作することができる。
【００２３】
また図２に示す如く、カメラ本体２の右側面２ｃの上部前方に設けられる操作部３１には、撮影時のズーム操作用のスライドスイッチ３２と静止画撮影用のシャッターボタン３３を有し、これらのスイッチ３２及びボタン３３は、図１のようにカメラ本体２を手で持った状態で人差指の指先で操作することができる。
【００２４】
また本例の撮像装置１においては、カメラ本体２の左側面２ｂの前部に設けられた操作部３５に、撮影時の手動調整を行なうための切り換えボタン３６と調整ダイヤル３７を有し、さらにパネルモニタ１２には、表示画面１３の下に録画ボタン３９、撮影時のズーム操作ボタン４０、画面表示サイズ変更ボタン４１が設けられている。なお、上記操作部３５の切り換えボタン３６と調整ダイヤル３７及びパネルモニタ１２の各ボタン３９，４０，４１は、カメラ本体２を持つ右手と反対側の左手の指先で操作するものである。
【００２５】
さらにカメラ本体２の上面２ｅには、マイクロホン部４３とアクセサリ取り付け部４５が設けられている。マイクロホン部４３には多数の通音孔が形成されており、この通音孔を通してカメラ本体２に内蔵されたマイクロホンによって音声が収録される。アクセサリ取り付け部４５はカバー４６で覆われており、このカバー４６を取り外すと各種アクセサリを取り付けるためのシューが露出されるようになっている。またカメラ本体２の底面２ｆには、撮像装置を付属のクレイドル装置と電気的に接続するためのコネクタ４８と、三脚に取り付けるための螺子穴４９が設けられている。
【００２６】
本例の撮像装置１においては、図６に示す如く、カメラ本体２の右側面２ｃから背面２ｄにかけての筐体が開閉蓋５０となっており、操作部２２のスライドスイッチ２４を操作するとこの開閉蓋５０のロックが解除されて開閉自在となる。この開閉蓋５０を開くと図６のようにカメラ本体２の内部のカセット収納部５１が開放され、このカセット収納部５１に設けられたカセット装着装置５２に記録媒体であるテープカセットが装着される。カセット装着装置５２はカセットホルダ５３を備え、開閉蓋５０を開くとこのカセット装着装置５２がカセット収納部５１から迫出してカセットホルダ５３が開き、その状態でカセットホルダ５３にテープカセットを挿入した後、カセットホルダ５３を押して閉じることによりカセット装着装置５２がカセット収納部５１に引き込まれて、テープカセットが所定の装着位置にローディングされる如く動作する。そして、このようにテープカセットのローディングが完了した状態で開閉蓋５０を閉じることにより、テープカセットに対する記録再生が可能な状態となる。
【００２７】
一方、静止画記録用のメモリーカード５５は、図７に示す如く、カメラ本体２の背面２ｄにおいてビューファインダ部７の下方に設けられたカードスロット５６に挿入されるようになっており、このカードスロット５６にメモリーカード５５が装填された状態でメモリーカード５５に対する記録再生が行なわれる。
【００２８】
なお、本例の撮像装置１では、駆動用のバッテリーはカメラ本体２に内蔵されている。このバッテリーの収納部は開閉蓋５０に設けられており、このバッテリー収納部を閉じるカバー５８が開閉蓋５０の下部に設けられ、このカバー５８を取り外すことでバッテリーの交換が行なえるようになっている。
【００２９】
続いて、以上の如く構成される本例の撮像装置に装着されるグリップベルト１６の構成について詳細に説明する。
このグリップベルト１６は、図８に示す如く、基端がカメラ本体２に固定されるストラップベルト１９と、このストラップベルト１９の所定位置に装着される甲当てパッド２０とを有して構成される。
【００３０】
このグリップベルト１６においてストラップベルト１９は、その基端がカメラ本体２の背面２ｄの固定部１７(図３参照)に固定されており、全体的にストラップとして充分な長さを有して形成されている。そしてこのストラップベルト１９は、少なくとも甲当てパッド２０より先の部分がハンドストラップとして使用できるようにループ状に形成されている。即ち本例では、このストラップベルト１９は２本のベルト１９ａと１９ｂを重ねて構成されており、これを甲当てパッド２０の通し穴２０ａに通して、その最先端を逢着６０によって接続することでループを形成してある。
【００３１】
そして、このストラップベルト１９の先端部には、ベルト１９ａの外側面に第１の面ファスナ６１が添着されている。さらにこのストラップベルト１９の最先端には、後述するようにこのストラップベルト１９をカメラ本体２のベルト通し部１８に通す際に用いるつまみ片６２をベルト１９ａ，１９ｂと共に逢着して取り付けてある。またこのストラップベルト１９において、甲当てパッド２０より先のループ状部分には、２本のベルト１９ａと１９ｂを括るスライダー６３が移動自在に装着されている。
【００３２】
甲当てパッド２０は、ストラップベルト１９を通し穴２０ａに通した状態で、ストラップベルト１９に対し逢着６４によって固定されている。この甲当てパッド２０の固定位置は、グリップベルトとして用いるときに手の甲と確実に対応する位置に規定される。この甲当てパッド２０は、中央部から２つ折れ状に折り畳めるになっており、その片半部の内面側に、ストラップベルト１９の第１の面ファスナ６１と接合される第２の面ファスナ６５が添着されている。ここで第２の面ファスナ６５の幅Ｗ２は、第１の面ファスナ６１の幅Ｗ１の２倍以上の幅寸法を有している。さらにこの甲当てパッド２０の他半部の内側面には、第２の面ファスナ６５と接合される第３の面ファスナ６６が添着されている。
【００３３】
一方、カメラ本体２側には、その右側面２ｃ側の前端下部にベルト通し部１８が設けられている。このベルト通し部１８は、カメラ本体２から突出される基部ベルト１８ａの先端にリング部材１８ｂを装着して構成されており、後述するようにこのベルト通し部１８のリング部材１８ｂにストラップベルト１９を通してカメラ本体２にグリップベルト１６を組み付けるものである。
【００３４】
上記の如く構成される本例のグリップベルト１６は、図８に示す状態で、ストラップベルト１９における甲当てパッド２０より先の２本のベルト１９ａ，１９ｂ間のループ状部分に手を通すことにより、このグリップベルト１６をハンドストラップとして使用することができる。
【００３５】
このハンドストラップとしての使用例を図９に示す。このように、ストラップベルト１９の２本のベルト１９ａ，１９ｂ間のループ状部分に手を通した状態で撮像装置１を持つようにすることで、誤って撮像装置１から手を離しても、撮像装置１はストラップベルト１９によって手から吊り下げられる状態となるので、落下による破損が生じるおそれがなく、安心して使用することができるものである。なお、このハンドストラップとしての使用時には、ストラップベルト１９のループ状部分に手を通した後、スライダー６３を移動させてループ状部分を小さく絞ることにより、手からの抜け落ちを防止することができる。
【００３６】
そして、このグリップベルト１６を本来のグリップベルトとして使用する場合は、図８の状態から、カメラ本体２のベルト通し部１８のリング部材１８ｂにストラップベルト１９を通し、その後これを折り返して、図１０に示す如くストラップベルト１９の第１の面ファスナ６１を甲当てパッド２０の第２の面ファスナ６５に接合し、その上でさらに甲当てパッド２０の第３の面ファスナ６６を第２の面ファスナ６５に接合させて、ストラップベルト１９を甲当てパッド２０で包み込むように保持することにより、図２に示す如くグリップベルト１６がカメラ本体２に組み付けられる。
【００３７】
このグリップベルト１６の組み付け手順においては、先ずストラップベルト１９の先端に取り付けられたつまみ片６２をベルト通し部１８のリング部材１８ｂに通し、それからこのつまみ片６２を引っ張るようにしてストラップベルト１６をリング部材１８ｂに通すようにすることで、より簡単にグリップベルト１６の組み付けを行なうことができる。またこのブリップベルト１６では、甲当てパッド２０の第２の面ファスナ６５の幅Ｗ２がストラップベルト１９の第１の面ファスナ６１の幅Ｗ１の２倍以上の幅寸法に形成されていることにより、第１の面ファスナ６１に対し第２の面ファスナ６５を充分なゆとりをもって接合することができる。
【００３８】
そして、このグリップベルト１６において、ストラップベルト１９の第１の面ファスナ６１と甲当てパッド２０の第２の面ファスナ６５との接合位置を調整することにより、手の大きさに合わせてグリップベルト１６を最適な長さに調整することができる。その上でこのグリップベルト１６では、甲当てパッド２０の第３の面ファスナ６６を第２の面ファスナ６５に接合させて、ストラップベルト１９を甲当てパッド２０で包み込むように保持することにより、第１の面ファスナ６１と第２の面ファスナ６５の接合状態が確実に維持される。
【００３９】
このグリップベルトとしての使用状態から前述したハンドストラップとしての使用状態にするには、以上と逆の動作、即ち先ず甲当てパッド２０の第３の面ファスナ６６を第２の面ファスナ６５から引き剥がし、さらに甲当てパッド２０の第２の面ファスナ６５からストラップベルト１９の第１の面ファスナ６１を引き剥がして、ストラップベルト１９をベルト通し部１８のリング部材１８ｂから抜き取ることにより、簡単にハンドストラップとして使用可能な状態とすることができる。
【００４０】
以上のように本例のグリップベルト１６は、簡単な着脱動作でこれをグリップベルトとハンドストラップの２通りの状態で使用することができる。そしてこのグリップベルト１６は、甲当てパッド２０がストラップベルト１９に固定されている構成のため、グリップベルトとしての使用時には甲当てパッド２０が常に定位置で手の甲を保持する状態となり、実質的なベルト長さが変化することもないので、安定した状態でカメラ本体２を持つことができる。
【００４１】
また本例のグリップベルト１６は、ストラップベルト１９の第１の面ファスナ６１を甲当てパッド２０の第２の面ファスナ６５に接合し、その上でさらに甲当てパッド２０の第３の面ファスナ６６を第２の面ファスナ６５に接合させて、ストラップベルト１９を甲当てパッド２０で包み込むように保持する構成としたことにより、ストラップベルト１９の第１の面ファスナ６１と甲当てパッド２０の第２の面ファスナ６５との接合状態が確実に維持されるので、より安定した状態で使用することができる。
【００４２】
さらに本例のグリップベルト１６は、ストラップベルト１９をベルト通し部１８に通すときに、その通し方を工夫することにより、カメラ本体１を持つ手に対する当たり感を良好にすることができる。即ち、ストラップベルト１９をベルト通し部１８のリング部材１８ｂに通すときには、通常は図８においてベルト通し部１８の後方(矢印Ａ方向)から通すようにするが、この場合は図１１(Ａ)に示すようにストラップベルト１９の上端縁部が手に食い込む状態となって違和感を与えることになる。これに対し本例のグリップベルト１６では、図８においてストラップベルト１９をベルト通し部１８の前方(矢印Ｂ方向)からリング部材１８ｂに通すようにすることで、図１１(Ｂ)に示すようにベルト通し部１８の基部ベルト１８ａが約半回転捻られる状態となり、この場合ストラップベルト１９はその平面で手を受けるように保持する状態となるので、手に違和感を与えることがない。そのため本例のグリップベルト１６は、カメラ本体２を持つ手を良好な使用感で保持し、よって常に安定した状態で撮影を行なうことができるものである。
【００４３】
なお、以上の実施例では、本発明のグリップベルトが備えられる機器の一例としてＶＴＲ一体型ビデオカメラを例示して説明したが、本発明のグリップベルトはこれに限ることなく普通のビデオカメラやデジタルスチルカメラなど種々の機器に好適に採用できるものであることは言うまでもない。
【図面の簡単な説明】
【００４４】
【図１】撮像装置を手で把持した状態を示す斜視図である。
【図２】撮像装置を前面側から見た斜視図である。
【図３】撮像装置を背面側から見た斜視図である。
【図４】撮像装置のパネルモニタを開いた状態を示す斜視図である。
【図５】撮像装置のパネルモニタの使用状態を示す斜視図である。
【図６】撮像装置のカセット収納部を開いた状態を示す斜視図である。
【図７】撮像装置にメモリーカードを挿入する状態を示す斜視図である。
【図８】撮像装置に備えられる本発明のグリップベルトの実施例を示す斜視図である。
【図９】実施例のグリップベルトをハンドストラップとして使用する場合の使用例を示す斜視図である。
【図１０】実施例のグリップベルトにおける組み付けの説明図である。
【図１１】実施例のグリップベルトにおけるベルト通し構造の説明図である。
【図１２】従来例のグリップベルトを装着した機器の斜視図である。
【図１３】従来例のグリップベルトの説明図である。
【符号の説明】
【００４５】
１…撮像装置(機器)、２…カメラ本体、１６…グリップベルト、１７…固定部、１８…ベルト通し部、１９…ストラップベルト、１９ａ，１９ｂ…２本のベルト、２０…甲当てパッド、６１…第１の面ファスナ、６５…第２の面ファスナ、６６…第３の面ファスナ
【図１】
2006184815.tif 000003
【図２】
2006184815.tif 000004
【図３】
2006184815.tif 000005
【図４】
2006184815.tif 000006
【図５】
2006184815.tif 000007
【図６】
2006184815.tif 000008
【図７】
2006184815.tif 000009
【図８】
2006184815.tif 000010
【図９】
2006184815.tif 000011
【図１０】
2006184815.tif 000012
【図１１】
2006184815.tif 000013
【図１２】
2006184815.tif 000014
【図１３】
2006184815.tif 000015